(57)【要約】【課題】電気泳動表示装置において、第１及び第２基板間の電気的導通を確実にとり、高品位な表示を行う。【解決手段】電気泳動表示装置は、互いに対向するように配置された第１基板（１０）及び第２基板（２０）と、第１及び第２基板間に設けられた第１の電気泳動層（２１０）と、第１基板上に設けられた画素電極（２１）と、第２基板上に設けられ、第１の電気泳動層を介して画素電極に対向する共通電極（２２）と、第１基板上に設けられ、共通電極に所定電位を供給するための導電部（９０）と、第１及び第２基板間に設けられ、導電部と共通電極との間を電気的に接続する導通材（４００）と、第１基板上に、第１の電気泳動層及び導通材を囲むように形成された封止部材（５００）と、第１及び第２基板間に、導通材と封止部材とを隔てるように形成された第２の電気泳動層（２２０）とを備える。【選択図】図２
2011064789.tif 000002
【特許請求の範囲】
【請求項１】
互いに対向するように配置された第１及び第２基板と、
前記第１及び第２基板間に設けられた第１の電気泳動層と、
前記第１基板上に設けられた画素電極と、
前記第２基板上に設けられ、前記第１の電気泳動層を介して前記画素電極に対向する共通電極と、
前記第１基板上に設けられ、前記共通電極に所定電位を供給するための導電部と、
前記第１及び第２基板間に設けられ、前記導電部と前記共通電極との間を電気的に接続する導通材と、
前記第１基板上に、前記第１の電気泳動層及び前記導通材を囲むように形成された封止部材と、
前記第１及び第２基板間に、前記導通材と前記封止部材とを隔てるように形成された第２の電気泳動層と
を備えることを特徴とする電気泳動表示装置。
【請求項２】
前記第２の電気泳動層は、前記導通材を少なくとも部分的に囲むように設けられていることを特徴とする請求項１に記載の電気泳動表示装置。
【請求項３】
前記第１及び第２の電気泳動層は、一の電気泳動層がパターニングされることにより形成されていることを特徴とする請求項１又は２に記載の電気泳動表示装置。
【請求項４】
請求項１から３のいずれか一項に記載の電気泳動表示装置を備えることを特徴とする電子機器。
【発明の詳細な説明】
【技術分野】
【０００１】
本発明は、電気泳動表示装置及び電子機器の技術分野に関する。
【背景技術】
【０００２】
この種の電気泳動表示装置として、一対の第１及び第２基板間に、例えばマイクロカプセル等の電気泳動素子を含む電気泳動層を備えてなる電気泳動表示装置が知られている（例えば特許文献１参照）。このような電気泳動表示装置では、第１基板上の表示領域に、複数の画素電極が例えばマトリクス状に配列され、各画素電極には画像信号が供給される。一方、第２基板上には、画素電極に対向するように共通電極が形成され、共通電極には所定電位が供給される。これにより、画素電極及び共通電極間の電気泳動層に画像信号に応じた電圧が印加され、電気泳動素子が駆動されることで、表示領域における表示が行われる。
【０００３】
ここで、第１及び第２基板間における表示領域の周辺には、第１及び第２基板間の電気的導通をとるための導通材が設けられる（例えば特許文献１参照）。このような導通材によって、第１基板上に形成された例えば配線、端子等の導電部と第２基板上に形成された共通電極とが互いに電気的に接続される。これにより、共通電極に対して、第１基板上の導電部から導通材を介して所定電位を供給することが可能となる。
【０００４】
一方、このような電気泳動表示装置では、例えば電気泳動層が外部の水分を吸収するなどして電気泳動層に保持されている水分の量が変化すると、電気泳動層の電気的特性が変化することにより表示品質が低下してしまうおそれがある。そこで、電気泳動層を囲むように、例えば樹脂等の封止部材が設けられる場合がある（例えば特許文献１参照）。
【先行技術文献】
【特許文献】
【０００５】
【特許文献１】特開２００７−１９９６７０号公報
【発明の概要】
【発明が解決しようとする課題】
【０００６】
しかしながら、上述した導通材と封止部材とが互いに近接して配置されると、封止部材の一部が、例えば導通材と共通電極との間に侵入して、第１及び第２基板間の電気的導通を妨げてしまうおそれがあるという技術的問題点がある。
【０００７】
本発明は、例えば上述した問題点に鑑みなされたものであり、第１及び第２基板間の電気的導通を確実にとることができ、高品位な表示を行うことが可能な電気泳動表示装置及びこのような電気泳動表示装置を備えてなる電子機器を提供することを課題とする。
【課題を解決するための手段】
【０００８】
本発明の電気泳動表示装置は上記課題を解決するために、互いに対向するように配置された第１及び第２基板と、前記第１及び第２基板間に設けられた第１の電気泳動層と、前記第１基板上に設けられた画素電極と、前記第２基板上に設けられ、前記第１の電気泳動層を介して前記画素電極に対向する共通電極と、前記第１基板上に設けられ、前記共通電極に所定電位を供給するための導電部と、前記第１及び第２基板間に設けられ、前記導電部と前記共通電極との間を電気的に接続する導通材と、前記第１基板上に、前記第１の電気泳動層及び前記導通材を囲むように形成された封止部材と、前記第１及び第２基板間に、前記導通材と前記封止部材とを隔てるように形成された第２の電気泳動層とを備える。
【０００９】
本発明の電気泳動表示装置によれば、その動作時には、画素電極には例えば画像信号が供給され、共通電極には所定電位が、第１基板上に設けられた導電部から導通材を介して供給される。これにより、画素電極及び共通電極間の第１の電気泳動層に、各々の電位によって規定される電圧（即ち、画像信号に応じた電圧）が印加され、例えば表示領域に画像が表示される。尚、第１の電気泳動層は、例えばマイクロカプセルである電気泳動素子を含んでなる。例えばマイクロカプセルである電気泳動素子の内部には、電気泳動粒子として、例えば負に帯電された複数の白色粒子と正に帯電された複数の黒色粒子とが含まれている。電気泳動素子では、画素電極及び共通電極間に印加される電圧に応じて、負に帯電された複数の白色粒子及び正に帯電された複数の黒色粒子のうち一方が画素電極側に移動（即ち、泳動）し、他方が共通電極側に移動する。これにより、移動された電気泳動粒子に応じた画像が共通電極側（即ち、第１及び第２基板のうち第２基板側）に表示される。また、本発明に係る「所定電位」は、画像信号の内容によらずに少なくとも所定期間ずつ固定された電位であり、各画素について共通に供給される電位を意味する。本発明に係る「所定電位」は、例えば、接地電位或いはグランド電位の如く、時間軸に対して完全に一定電位に固定された固定電位であってもよいし、或いは、例えば画像信号に係る奇数フィールド期間で第１の固定電位に固定されると共に偶数フィールド期間で第２の固定電位に固定されるというように、時間軸に対して一定期間ずつ一定電位に固定された固定電位であってもよい。
【００１０】
導通材は、第１及び第２基板間における例えば表示領域の周辺に、導電部及び共通電極に接触するように設けられ、導電部と共通電極とを互いに電気的に接続する。即ち、導通材は、導電部及び共通電極間の電気的導通をとる機能（言い換えれば、第１及び第２基板間の電気的導通をとる機能）を有する。導通材としては、例えば導電性テープ、銀ペースト等の導電性材料を用いることができる。
【００１１】
封止部材は、第１基板上に、第１の電気泳動層及び導電材を囲むように形成される。封止部材は、例えば樹脂等からなり、第１の電気泳動層の側面側を封止し（言い換えれば、第１の電気泳動層の外縁或いは外周側を封止し）、外部から第１の電気泳動層に水分が侵入することを抑制する機能を有する。尚、封止部材は、例えば、第１基板と第２基板とを互いに貼り合わせる機能、或いは、第１基板と、第２基板における第１基板に対向しない側に設けられた他の基板（例えば保護基板）とを互いに貼り合わせる機能も有する。
【００１２】
本発明では特に、第２の電気泳動層が、第１及び第２基板間に、導通材と封止部材とを隔てるように形成されている。換言すれば、第２の電気泳動層は、導通材と封止部材との間の領域を含む領域に配置されている。例えば、第２の電気泳動層は、表示領域の周辺に設けられ、導通材を囲むように形成される。第２の電気泳動層は、典型的には、第１の電気泳動層及び導電材と共に、封止部材によって囲まれる。尚、第２の電気泳動層は、典型的には第１の電気泳動層と同様に、例えばマイクロカプセルである電気泳動素子を含んでなる。
【００１３】
よって、第２の電気泳動層によって、例えば樹脂等からなる封止部材の一部が、例えば製造プロセスにおいて例えば導電材と共通電極との間に侵入してしまうことを抑制或いは防止できる。従って、例えば、導通材と共通電極との間に封止部材の一部が形成され、該封止部材の一部によって導通材と共通電極との間の電気的導通が妨げられてしまう事態を殆ど或いは実践上完全に無くすことができる。即ち、例えば導通材と共通電極とを確実に互いに電気的に接続することができ、第１基板上に形成された導電部と第２基板上に形成された共通電極とを導通材を介して確実に互いに電気的に接続することができる（即ち、第１及び第２基板間の電気的導通を確実にとることができる）。この結果、本発明の電気泳動表示装置によれば、高品位な表示を行うことが可能となる。
【００１４】
以上説明したように、本発明の電気泳動表示装置によれば、第１及び第２基板間の電気的導通を確実にとることができ、高品位な表示を行うことが可能となる。
【００１５】
本発明の電気泳動表示装置の一態様では、前記第２の電気泳動層は、前記導通材を少なくとも部分的に囲むように設けられている。
【００１６】
この態様によれば、第２の電気泳動層によって、導電材と封止部材とをより確実に隔てることができ、封止部材の一部が、例えば導電材と共通電極との間に侵入してしまうことをより確実に抑制或いは防止できる。
【００１７】
本発明の電気泳動表示装置の他の態様では、前記第１及び第２の電気泳動層は、一の電気泳動層がパターニングされることにより形成されている。
【００１８】
この態様によれば、第１及び第２の電気泳動層は、例えば第２基板上に予め形成された一の電気泳動層の一部分（より具体的には、導通材が配置されるべき部分）が除去されるなど、一の電気泳動層がパターニングされることにより形成されている。よって、製造プロセスの複雑化を殆ど或いは実践上全く招くことなく、第１及び第２の電気泳動層を形成することができる。
【００１９】
本発明の電子機器は上記課題を解決するために、上述した本発明の電気泳動表示装置を備える。
【００２０】
本発明の電子機器によれば、上述した本発明の電気泳動表示装置を備えるので、高品位な表示を行うことが可能な、例えば、腕時計、電子ペーパー、電子ノート、携帯電話、携帯用オーディオ機器などの各種電子機器を実現できる。
【００２１】
本発明の作用及び他の利得は次に説明する発明を実施するための形態から明らかにされる。
【図面の簡単な説明】
【００２２】
【図１】第１実施形態に係る電気泳動表示装置の概略構成を示す平面図である。
【図２】図１のII−II’線での断面図である。
【図３】第１実施形態に係る電気泳動表示装置の電気泳動層の平面的な構成を説明するための模式図である。
【図４】比較例における、図２と同趣旨の断面図である。
【図５】電気泳動表示装置を適用した電子機器の一例たる電子ペーパーの構成を示す斜視図である。
【図６】電気泳動表示装置を適用した適用した電子機器の一例たる電子ノートの構成を示す斜視図である。
【発明を実施するための形態】
【００２３】
以下では、本発明の実施形態について図を参照しつつ説明する。
【００２４】
＜第１実施形態＞
第１実施形態に係る電気泳動表示装置について、図１から図３を参照して説明する。
【００２５】
先ず、本実施形態に係る電気泳動表示装置の全体構成について、図１及び図２を参照して説明する。
【００２６】
図１は、本実施形態に係る電気泳動表示装置の概略構成を示す平面図であり、図２は、図１のII−II’線での断面図である。
【００２７】
図１及び図２において、本実施形態に係る電気泳動表示装置１は、互いに対向するように配置された素子基板１０と対向基板２０との間に設けられた電気泳動層２００に含まれる電気泳動素子であるマイクロカプセル８０に、画像信号に応じた電圧を印加することにより、表示領域１０ａにおいて表示を行うことが可能な電気泳動表示装置である。
【００２８】
素子基板１０は、本発明に係る「第１基板」の一例であり、例えばガラスやプラスチック等からなる基板である。素子基板１０上には、画素電極２１が、表示領域１０ａにマトリクス状に配列された画素毎に設けられている。尚、ここでは図示を省略するが、素子基板１０上の表示領域１０ａには、画素電極２１を駆動するための薄膜トランジスタ（ＴＦＴ：Thin Film Transistor）が画素毎に設けられている。素子基板１０は、可撓性を有していてもよいし、可撓性を有していなくてもよい。素子基板１０は、例えばステンレス、アルミニウム等の金属からなる基板であってもよい。
【００２９】
素子基板１０上における表示領域１０ａの周辺には、後述する対向基板２０側に形成された共通電極２２に共通電位を供給するための導電部９０が設けられている。導電部９０は、画素電極２１と同一膜（即ち、製造工程における同一機会に成膜される膜）からなる。導電部９０は、電気泳動表示装置１の動作時に共通電位を供給する共通電位線に電気的に接続されている。導電部９０は、対向基板２０上に形成された共通電極２２に、後述する導電材４００を介して電気的に接続されている。尚、共通電位は、本発明に係る「所定電位」の一例であり、画素電極２１に供給される画像信号の内容によらずに少なくとも所定期間ずつ固定された電位であり、各画素について共通に供給される電位である。
【００３０】
対向基板２０は、本発明に係る「第２基板」の一例であり、例えばＰＥＴ（ポリエチレンテレフタレート）基板等の樹脂基板からなる。対向基板２０は、電気泳動層２００を介して素子基板１０に対向するように配置されている。対向基板２０上における素子基板１０との対向面上には、共通電極２２が、素子基板１０上に設けられた複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００３１】
電気泳動層２００は、電気泳動粒子をそれぞれ含んでなる複数のマイクロカプセル８０を含んで構成されており、例えば樹脂等からなるバインダー３０及び接着層３１によって素子基板１０及び対向基板２０間で固定されている。電気泳動層２００は、表示領域１０ａを含む領域に設けられており、後述する封止部材５００によって囲まれている。尚、後に詳細に説明するが、電気泳動層２００は、表示領域１０ａに設けられた第１電気泳動層部分２１０と、表示領域１０ａの周辺に、導通材４００と封止部材５００とを隔てるように形成された第２電気泳動層部分２２０とを有している。また、本実施形態に係る電気泳動表示装置１は、製造プロセスにおいて、電気泳動層２００が予め対向基板２０側にバインダー３０によって固定されてなる電気泳動シートが、別途製造された、画素電極２１等が形成された素子基板１０側に接着層３１によって接着されている。
【００３２】
マイクロカプセル８０は、素子基板１０上の画素電極２１と対向基板２０上の共通電極２２との間に挟持され、１つの画素内に（言い換えれば、１つの画素電極に対して）１つ又は複数配置されている。
【００３３】
マイクロカプセル８０は、その内部に分散媒と、電気泳動粒子である複数の白色粒子と、複数の黒色粒子とが封入されてなる。マイクロカプセル８０は、例えば、５０ｕｍ程度の粒径を有する球状に形成されている。
【００３４】
マイクロカプセル８０の外殻として機能する被膜は、ポリメタクリル酸メチル、ポリメタクリル酸エチル等のアクリル樹脂、ユリア樹脂、アラビアガム等の透光性を有する高分子樹脂から形成されている。
【００３５】
分散媒は、白色粒子及び黒色粒子をマイクロカプセル８０内（言い換えれば、被膜内）に分散させる媒質である。分散媒としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００３６】
白色粒子は、例えば、二酸化チタン、亜鉛華（酸化亜鉛）、三酸化アンチモン等の白色顔料からなる粒子（高分子或いはコロイド）であり、例えば負に帯電されている。
【００３７】
黒色粒子は、例えば、アニリンブラック、カーボンブラック等の黒色顔料からなる粒子（高分子或いはコロイド）であり、例えば正に帯電されている。
【００３８】
このため、白色粒子及び黒色粒子は、画素電極２１と共通電極２２との間の電位差によって発生する電場によって、分散媒中を移動することができる。
【００３９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４０】
画素電極２１と共通電極２２との間に、相対的に共通電極２２の電位が高くなるように電圧が印加された場合には、正に帯電された黒色粒子はクーロン力によってマイクロカプセル８０内で画素電極２１側に引き寄せられると共に、負に帯電された白色粒子はクーロン力によってマイクロカプセル８０内で共通電極２２側に引き寄せられる。この結果、マイクロカプセル８０内の表示面側（即ち、共通電極２２側）に白色粒子が集まることで、表示面（即ち、対向基板２０における素子基板１０に対向しない面の表示領域１０ａ）にこの白色粒子の色（即ち、白色）を表示することができる。逆に、画素電極２１と共通電極２２との間に、相対的に画素電極の電位が高くなるように電圧が印加された場合には、負に帯電された白色粒子がクーロン力によって画素電極２１側に引き寄せられると共に、正に帯電された黒色粒子はクーロン力によって共通電極２２側に引き寄せられる。この結果、マイクロカプセル８０の表示面側に黒色粒子が集まることで、表示面にこの黒色粒子の色（即ち、黒色）を表示することができる。
【００４１】
尚、画素電極２１及び共通電極２２間における白色粒子及び黒色粒子の分布状態によって、白色と黒色との中間階調である、ライトグレー、グレー、ダークグレー等の灰色を表示することも可能である。また、白色粒子、黒色粒子に用いる顔料を、例えば赤色、緑色、青色等の顔料に代えることによって、赤色、緑色、青色等のカラー表示も可能となる。
【００４２】
素子基板１０及び対向基板２０間における表示領域１０ａの周辺には、素子基板１０上に形成された導電部９０と、対向基板２０上に形成された共通電極２２との間を電気的に接続する導通材４００が設けられている。
【００４３】
導通材４００は、例えば導電性テープ、銀ペースト等の導電性材料からなり、表示領域１０ａの周辺に、導電部９０及び共通電極２２に接触するように設けられている。導通材４００は、導電部９０及び共通電極２２間の電気的導通をとる機能（言い換えれば、素子基板１０及び対向基板２０間の電気的導通をとる機能）を有している。
【００４４】
図１に示すように、導通材４００は、表示領域１０ａの一辺に沿って延びるように設けられている。尚、導電材４００は、表示領域１０ａの周辺に設けられ、導電部９０と共通電極２２との間を電気的に接続することができれば、その平面形状はいかなるものであってもよい。例えば、導通材４００は、平面視で円形又は多角形をなすような形状であってもよい。
【００４５】
尚、導電部９０は、素子基板１０上で平面的に見て、導電材４００に概ね重なるように設けられている。
【００４６】
図１及び図２において、素子基板１０と対向基板２０との間には、電気泳動層２００及び導通材４００を囲むように封止部材５００が形成されている。
【００４７】
封止部材５００は、例えばエポキシ樹脂、シリコン樹脂、アクリル樹脂等の樹脂からなり、電気泳動層２００の側面側を封止し（言い換えれば、電気泳動層２００の外縁或いは外周側を封止し）、外部から電気泳動層２００に水分が侵入することを抑制する機能を有する。尚、封止部材５００は、素子基板１０及び対向基板２０を互いに貼り合わせる機能も有する。また、封止部材５００を構成する樹脂中に、シリカ、アルミナ等の無機微粒子が分散されていてもよい。この場合には、外部から封止部材５００を介して電気泳動層２００に水分が侵入することをより一層確実に抑制することができる。
【００４８】
次に、本実施形態に係る電気泳動表示装置が備える電気泳動層の平面的な構成について、図１及び図２に加えて図３を参照して詳細に説明する。
【００４９】
図３は、本実施形態に係る電気泳動表示装置が備える電気泳動層の平面的な構成を説明するための模式図である。
【００５０】
図２及び図３において、本実施形態では特に、電気泳動層２００は、表示領域１０ａに設けられた第１電気泳動層部分２１０と、表示領域１０ａの周辺に、導通材４００と封止部材５００とを隔てるように形成された第２電気泳動層部分２２０とを有している。
【００５１】
第１電気泳動層部分２１０は、本発明に係る「第１の電気泳動層」の一例であり、素子基板１０及び対向基板２０間における表示領域１０ａに設けられている。第１電気泳動層部分２１０には、電気泳動表示装置１の動作時に、画素電極２１及び共通電極２２の各々の電位によって規定される電圧（即ち、画像信号に応じた電圧）が印加される。これにより、表示領域１０ａにおける表示が可能となる。つまり、第１電気泳動層部分２１０は、電気泳動層２００のうち、表示領域１０ａにおいて表示を行うための電気泳動層部分（即ち、表示用の電気泳動層部分）である。
【００５２】
第２電気泳動層部分２２０は、本発明に係る「第２の電気泳動層」の一例であり、素子基板１０及び対向基板２０間に、導通材４００と封止部材５００とを隔てるように形成されている。第２電気泳動層部分２２０は、表示領域１０ａの周辺に設けられ、導通材４００を囲むように形成されている。
【００５３】
よって、第２電気泳動層部分２２０によって、樹脂からなる封止部材５００の一部が、製造プロセスにおいて導電材４００と共通電極２２との間に侵入してしまうことを抑制或いは防止できる。従って、導通材４００と共通電極２２との間に封止部材５００の一部が形成され、この封止部材５００の一部によって導通材４００と共通電極２２との間の電気的導通が妨げられてしまう事態を殆ど或いは実践上完全に無くすことができる。即ち、導通材４００と共通電極２２とを確実に互いに電気的に接続することができ、素子基板１０上に形成された導電部９０と対向基板２０上に形成された共通電極２２とを導通材４００を介して確実に互いに電気的に接続することができる（即ち、素子基板１０及び対向基板２０間の電気的導通を確実にとることができる）。この結果、本実施形態に係る電気泳動表示装置１によれば、高品位な表示を行うことが可能となる。
【００５４】
加えて、本実施形態に係る電気泳動表示装置１によれば、素子基板１０及び対向基板２０間における表示領域１０ａの周辺に位置する比較的狭い領域に第２電気泳動層部分２２０が形成されることにより、素子基板１０及び対向基板２０間の電気的導通を確実にとることができる。よって、当該電気泳動表示装置１の狭額縁化を図る（即ち、素子基板１０及び対向基板２０における表示領域１０ａを額縁状に囲む周辺領域を狭くする）うえで実践上有利である。
【００５５】
図３において、本実施形態では特に、第２電気泳動層部分２２０は、導通材４００を囲むように設けられている。よって、第２電気泳動層部分２２０によって、導電材４００と封止部材５００とをより確実に隔てることができ、封止部材５００の一部が、導電材４００と共通電極２２との間に侵入してしまうことをより確実に抑制或いは防止できる。尚、第２電気泳動層部分２２０が、導通材４００と封止部材５００とを少なくとも部分的に隔てるように形成されていれば、封止部材５００の一部が、導電材４００と共通電極２２との間に侵入してしまうことを抑制できる。
【００５６】
更に、本実施形態では特に、第１電気泳動層部分２１０及び第２電気泳動層部分２２０は、一の電気泳動層がパターニングされることにより形成されている。即ち、第１電気泳動層部分２１０及び第２電気泳動層部分２２０は、対向基板２０上に概ねベタ状に予め形成された一の電気泳動層の一部分（より具体的には、導通材４００が配置されるべき部分）が除去されることにより形成されている。よって、製造プロセスの複雑化を殆ど或いは実践上全く招くことなく、第１電気泳動層部分２１０及び第２電気泳動層部分２２０を有する電気泳動層２００を形成することができる。このように電気泳動層２００の一部を除去することにより、電気泳動層２００の平面視での外形を変更することなく第１電気泳動層部分２１０及び第２電気泳動層部分２２０を形成することができる。例えば本実施形態では、平面視で矩形の外形を有する電気泳動層２００の内側に第１電気泳動層部分２１０及び第２電気泳動層部分２２０が設けられ、また矩形の電気泳動層２００の内側に導通材４００が内包された構成となる（図２参照）。このような構成において封止部材５００を配置するに際しては、封止部材５００を電気泳動層２００の矩形の外形に合わせて形成すれば足り、電気泳動層２００の外形が矩形と異なる場合と比較して封止部材５００を容易に配置することができ、また封止性能を向上させることができる。尚、図２に示すように、電気泳動層２００（言い換えれば、第１電気泳動層部分２１０及び第２電気泳動層部分２２０）と、導通材４００との間には、間隙６０が設けられている。よって、電気泳動層２００と導通材４００とが互いに悪影響を及ぼすことを抑制或いは防止できる。従って、より高品位な表示を行うことが可能となる。
【００５７】
ここで、図４は、比較例における、図２と同趣旨の断面図である。尚、図４において、図１から図３に示した本実施形態に係る電気泳動表示装置１の構成要素と同様の構成要素に同一の参照符合を付し、それらの説明は適宜省略する。
【００５８】
比較例に係る電気泳動表示装置は、上述した本実施形態における電気泳動層２００に代えて電気泳動層２００ｃを備える点で、上述した本実施形態に係る電気泳動表示装置１と異なり、その他の点については、上述した本実施形態に係る電気泳動表示装置１と概ね同様に構成されている。
【００５９】
図４において、比較例に係る電気泳動表示装置では、導通材４００と封止部材５００との間には、電気泳動層２００ｃが設けられておらず、導通材４００と封止部材５００とが近接して設けられている。即ち、電気泳動層２００ｃは、表示領域１０ａに形成された部分を有しているが、上述した本実施形態における第２電気泳動層部分２２０のような、導通材４００と封止部材５００とを隔てる部分を有していない。このため、樹脂からなる封止部材５００の一部が、製造プロセスにおいて導電材４００と共通電極２２との間に侵入してしまい、導通材４００と共通電極２２との間に封止部材部分５００ａが形成されてしまうおそれがある。よって、素子基板１０上の導電部９０と、対向基板２０上の共通電極２２と間の電気的導通に不良が発生してしまうおそれがある。
【００６０】
しかるに、本実施形態に係る電気泳動表示装置１によれば、上述したように、電気泳動層２００が、導通材４００と封止部材５００とを隔てる第２電気泳動層部分２２０を有するので、樹脂からなる封止部材５００の一部が、製造プロセスにおいて導電材４００と共通電極２２との間に侵入してしまうことを第２電気泳動層部分２２０によって抑制或いは防止できる。従って、素子基板１０上の導電部９０と、対向基板２０上の共通電極２２と間の電気的導通に不良が発生してしまうことを抑制或いは防止できる。
【００６１】
なお、導通材４００は、１つの電気泳動表示装置１において複数設けられていてもよい。導通材４００を複数設ける場合には、表示領域１０ａの一辺の両端近傍に各々設けてもよく、又は表示領域１０ａの一対の対角近傍に各々設けてもよい。このようにすれば、複数の導通材４００間の距離が大きくなるため、一の導通材４００において導通不良が生じた場合にも他の導通材４００において導通が確保できる可能性を高めることができる。また、この構成においても、電気泳動層２００の一部を除去することにより第１電気泳動層部分２１０及び第２電気泳動層部分２２０を形成するようにすれば、電気泳動層２００の外形を矩形に保った上で複数の導通材４００を内包させることができる。
【００６２】
以上説明したように、本実施形態に係る電気泳動表示装置１によれば、素子基板１０及び対向基板２０間の電気的導通を確実にとることができ、高品位な表示を行うことが可能となる。
【００６３】
＜電子機器＞
次に、上述した電気泳動表示装置を適用した電子機器について、図５及び図６を参照して説明する。以下では、上述した電気泳動表示装置を電子ペーパー及び電子ノートに適用した場合を例にとる。
【００６４】
図５は、電子ペーパー１４００の構成を示す斜視図である。
【００６５】
図５に示すように、電子ペーパー１４００は、上述した実施形態に係る電気泳動表示装置１を表示部１４０１として備えている。電子ペーパー１４００は可撓性を有し、従来の紙と同様の質感及び柔軟性を有する書き換え可能なシートからなる本体１４０２を備えて構成されている。
【００６６】
図６は、電子ノート１５００の構成を示す斜視図である。
【００６７】
図６に示すように、電子ノート１５００は、図５で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００６８】
上述した電子ペーパー１４００及び電子ノート１５００は、上述した実施形態に係る電気泳動表示装置を備えるので、高品質な画像表示を行うことが可能である。
【００６９】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置、及び該電気泳動表示装置を備えてなる電子機器もまた本発明の技術的範囲に含まれるものである。
【符号の説明】
【００７０】
１０…素子基板、２０…対向基板、２１…画素電極、２２…共通電極、７０…導通材、８０…マイクロカプセル、９０…導電部、２００…電気泳動層、２１０…第１電気泳動層部分、２２０…第２電気泳動層部分、４００…導通材、５００…封止部材
【図１】
2011064789.tif 000003
【図３】
2011064789.tif 000004
【図５】
2011064789.tif 000005
【図６】
2011064789.tif 000006
【図２】
2011064789.tif 000007
【図４】
2011064789.tif 000008